(57)【特許請求の範囲】
【請求項１】
複数のプリントジョブを受け付けるプリント装置であって、
定常的に使用する通常用紙ではない特殊用紙を指定したプリントジョブの印刷を指示するための操作入力手段と、
常時は前記特殊用紙を指定したプリントジョブよりも前記通常用紙を指定したプリントジョブを優先させて印刷を行い、前記操作入力手段による指示操作が行われたときには、それ以前に投入されている前記特殊用紙を指定したプリントジョブのうちの１以上のプリントジョブの印刷を前記通常用紙を指定したプリントジョブに優先させて行うように、プリントジョブのスケジュール管理をする制御手段と、を備え、
前記制御手段は、前記通常用紙を指定したプリントジョブの印刷中に前記指示操作が行われたときには、前記通常用紙を指定したプリントジョブの印刷を中断させて前記特殊用紙を指定したプリントジョブのうちの１以上のプリントジョブの印刷を行わせるように構成されてなる
ことを特徴とするプリント装置。
【請求項２】
複数のプリントジョブを受け付けるプリント装置であって、
定常的に使用する通常用紙ではない特殊用紙を指定したプリントジョブの印刷を指示するための操作入力手段と、
前記操作入力手段による指示操作に応じて、その指示操作以前に投入されており且つ前記特殊用紙を指定したプリントジョブの一覧表示をする表示手段と、
前記一覧表示された前記特殊用紙を指定したプリントジョブから印刷対象のプリントジョブを選択するための選択手段と、
常時は前記特殊用紙を指定したプリントジョブよりも前記通常用紙を指定したプリントジョブを優先させて印刷を行い、前記操作入力手段による指示操作が行われたときには、前記選択手段により選択された前記特殊用紙を指定したプリントジョブの印刷を前記通常用紙を指定したプリントジョブに優先させて行うように、プリントジョブのスケジュール管理をする制御手段と、を備えた
ことを特徴とするプリント装置。
【請求項３】
複数のプリントジョブを受け付けるプリント装置であって、
定常的に使用する通常用紙用給紙カセットではない特殊用紙用給紙カセットを指定したプリントジョブの印刷を指示するための操作入力手段と、
常時は前記特殊用紙用給紙カセットを指定したプリントジョブよりも前記通常用紙用給紙カセットを指定したプリントジョブを優先させて印刷を行い、前記操作入力手段による指示操作が行われたときには、それ以前に投入されている前記特殊用紙用給紙カセットを指定したプリントジョブのうちの１以上のプリントジョブの印刷を前記通常用紙用給紙カセットを指定したプリントジョブに優先させて行うように、プリントジョブのスケジュール管理をする制御手段と、を備え、
前記制御手段は、前記通常用紙用給紙カセットを指定したプリントジョブの印刷中に前記指示操作が行われたときには、前記通常用紙用給紙カセットを指定したプリントジョブの印刷を中断させて前記特殊用紙用給紙カセットを指定したプリントジョブのうちの１以上のプリントジョブの印刷を行わせるように構成されてなる
ことを特徴とするプリント装置。
【請求項４】
複数のプリントジョブを受け付けるプリント装置であって、
定常的に使用する通常用紙用給紙カセットではない特殊用紙用給紙カセットを指定したプリントジョブの印刷を指示するための操作入力手段と、
前記操作入力手段による指示操作に応じて、その指示操作以前に投入されており且つ前記特殊用紙用給紙カセットを指定したプリントジョブの一覧表示をする表示手段と、
前記一覧表示された前記特殊用紙用給紙カセットを指定したプリントジョブから印刷対象のプリントジョブを選択するための選択手段と、
常時は前記特殊用紙用給紙カセットを指定したプリントジョブよりも前記通常用紙用給紙カセットを指定したプリントジョブを優先させて印刷を行い、前記操作入力手段による指示操作が行われたときには、前記選択手段により選択された前記特殊用紙用給紙カセットを指定したプリントジョブの印刷を前記通常用紙用給紙カセットを指定したプリントジョブに優先させて行うように、プリントジョブのスケジュール管理をする制御手段と、を備えた
ことを特徴とするプリント装置。
【請求項５】
複数のプリントジョブを受け付けるプリント装置であって、
手差し給紙を指定したプリントジョブの印刷を指示するための操作入力手段と、
常時は前記手差し給紙を指定したプリントジョブよりも自動給紙を指定したプリントジョブを優先させて印刷を行い、前記操作入力手段による指示操作が行われたときには、それ以前に投入されている前記手差し給紙を指定したプリントジョブのうちの１以上のプリントジョブの印刷を前記自動給紙を指定したプリントジョブに優先させて行うように、プリントジョブのスケジュール管理をする制御手段と、を備え、
前記制御手段は、前記自動給紙を指定したプリントジョブの印刷中に前記指示操作が行われたときには、前記自動給紙を指定したプリントジョブの印刷を中断させて前記手差し給紙を指定したプリントジョブのうちの１以上のプリントジョブの印刷を行わせるように構成されてなる
ことを特徴とするプリント装置。
【請求項６】
複数のプリントジョブを受け付けるプリント装置であって、
手差し給紙を指定したプリントジョブの印刷を指示するための操作入力手段と、
前記操作入力手段による指示操作に応じて、その指示操作以前に投入されており且つ前記手差し給紙を指定したプリントジョブの一覧表示をする表示手段と、
前記一覧表示された前記手差し給紙を指定したプリントジョブから印刷対象のプリントジョブを選択するための選択手段と、
常時は前記手差し給紙を指定したプリントジョブよりも自動給紙を指定したプリントジョブを優先させて印刷を行い、前記操作入力手段による指示操作が行われたときには、前記選択手段により選択された前記手差し給紙を指定したプリントジョブの印刷を前記自動給紙を指定したプリントジョブに優先させて行うように、プリントジョブのスケジュール管理をする制御手段と、を備えた
ことを特徴とするプリント装置。
【発明の詳細な説明】
【０００１】
【発明の属する技術分野】
本発明は、外部装置に対して複数のプリントジョブを受け付けるスケジュール管理機能を有したプリント装置に関し、ネットワークプリンタ、プリントサーバとプリントとからなるプリントシステムなどに適用される。
【０００２】
【従来の技術】
一般に、プリンタは多数枚の用紙の収納が可能であり、収納部から用紙を取り出して印刷する自動給紙機能を有している。また、手動で１枚ずつ用紙を供給するためのいわゆる手差し給紙口が設けられている。手差し給紙口は、収納されている用紙と異なる特殊な用紙を使用する比較的に枚数の少ない印刷に主に利用される。特殊な用紙としては、標準サイズより大きいか又は小さい用紙、カラー用紙、記入欄などをプリプリントした用紙、ＯＨＰシートなどがある。コンピュータに代表される外部装置からプリンタへのプリントジョブの投入に際しては、自動給紙又は手差し給紙が指定される。
【０００３】
一方、ネットワークプリンタのように複数の外部装置による共用を前提としたプリント装置は、所定容量のバッファを備え、複数のプリントジョブの受け付けが可能に構成されている。すなわち、待機中だけでなく印刷中もプリントジョブの投入を受け付ける。
【０００４】
従来のプリント装置は、自動給紙と手差し給紙とを区別せずに、プリントジョブの印刷を投入順に行うように構成されていた。なお、ユーザーが外部装置又はプリンタ装置の操作によって、印刷の優先順位の設定、印刷順序の変更、及び印刷の取消しを指示することのできるシステム構成が提案されている（特開平７−２９５７６７号）。
【０００５】
【発明が解決しようとする課題】
従来では、上述のとおり投入順に印刷が行われるので、手差し給紙のプリントジョブの印刷が終わるまで、それより後に投入されたプリントジョブの印刷は自動給紙と手差し給紙とに係わらず行われない。したがって、外部装置上で手差し給紙のプリントジョブの投入を指示したユーザーが、プリント装置の設置場所へ行って手差し給紙をするのを忘れた場合には、プリント装置は給紙待ちのまま実質的に非稼働状態となってしまい、他のユーザーが迷惑を被るという問題があった。
【０００６】
また、手差し給紙をしようとユーザーがプリント装置の設置場所に行っても、自動給紙のプリントジョブの印刷が一向に終わらず、手差し給紙のプリントジョブの順番を長時間にわたって待たねばならないことがあった。
【０００７】
本発明は、手差し給紙又は用紙交換の必要な特別のプリントジョブの投入による通常のプリントジョブの停滞がなく、ユーザーが特別のプリントジョブの印刷物を随時に得ることのできる印刷環境を提供することを目的としている。
【０００８】
【課題を解決するための手段】
請求項１の発明の装置は、複数のプリントジョブを受け付けるプリント装置であって、定常的に使用する通常用紙ではない特殊用紙を指定したプリントジョブの印刷を指示するための操作入力手段と、常時は前記特殊用紙を指定したプリントジョブよりも前記通常用紙を指定したプリントジョブを優先させて印刷を行い、前記操作入力手段による指示操作が行われたときには、それ以前に投入されている前記特殊用紙を指定したプリントジョブのうちの１以上のプリントジョブの印刷を前記通常用紙を指定したプリントジョブに優先させて行うように、プリントジョブのスケジュール管理をする制御手段と、を備え、前記制御手段は、前記通常用紙を指定したプリントジョブの印刷中に前記指示操作が行われたときには、前記通常用紙を指定したプリントジョブの印刷を中断させて前記特殊用紙を指定したプリントジョブのうちの１以上のプリントジョブの印刷を行わせるように構成されてなる。
請求項２の発明の装置は、複数のプリントジョブを受け付けるプリント装置であって、定常的に使用する通常用紙ではない特殊用紙を指定したプリントジョブの印刷を指示するための操作入力手段と、前記操作入力手段による指示操作に応じて、その指示操作以前に投入されており且つ前記特殊用紙を指定したプリントジョブの一覧表示をする表示手段と、前記一覧表示された前記特殊用紙を指定したプリントジョブから印刷対象のプリントジョブを選択するための選択手段と、常時は前記特殊用紙を指定したプリントジョブよりも前記通常用紙を指定したプリントジョブを優先させて印刷を行い、前記操作入力手段による指示操作が行われたときには、前記選択手段により選択された前記特殊用紙を指定したプリントジョブの印刷を前記通常用紙を指定したプリントジョブに優先させて行うように、プリントジョブのスケジュール管理をする制御手段とを備える。
【０００９】
請求項３の発明の装置は、複数のプリントジョブを受け付けるプリント装置であって、定常的に使用する通常用紙用給紙カセットではない特殊用紙用給紙カセットを指定したプリントジョブの印刷を指示するための操作入力手段と、常時は前記特殊用紙用給紙カセットを指定したプリントジョブよりも前記通常用紙用給紙カセットを指定したプリントジョブを優先させて印刷を行い、前記操作入力手段による指示操作が行われたときには、それ以前に投入されている前記特殊用紙用給紙カセットを指定したプリントジョブのうちの１以上のプリントジョブの印刷を前記通常用紙用給紙カセットを指定したプリントジョブに優先させて行うように、プリントジョブのスケジュール管理をする制御手段と、を備え、  前記制御手段は、前記通常用紙用給紙カセットを指定したプリントジョブの印刷中に前記指示操作が行われたときには、前記通常用紙用給紙カセットを指定したプリントジョブの印刷を中断させて前記特殊用紙用給紙カセットを指定したプリントジョブのうちの１以上のプリントジョブの印刷を行わせるように構成されてなる。
請求項４の発明の装置は、複数のプリントジョブを受け付けるプリント装置であって、定常的に使用する通常用紙用給紙カセットではない特殊用紙用給紙カセットを指定したプリントジョブの印刷を指示するための操作入力手段と、前記操作入力手段による指示操作に応じて、その指示操作以前に投入されており且つ前記特殊用紙用給紙カセットを指定したプリントジョブの一覧表示をする表示手段と、前記一覧表示された前記特殊用紙用給紙カセットを指定したプリントジョブから印刷対象のプリントジョブを選択するための選択手段と、常時は前記特殊用紙用給紙カセットを指定したプリントジョブよりも前記通常用紙用給紙カセットを指定したプリントジョブを優先させて印刷を行い、前記操作入力手段による指示操作が行われたときには、前記選択手段により選択された前記特殊用紙用給紙カセットを指定したプリントジョブの印刷を前記通常用紙用給紙カセットを指定したプリントジョブに優先させて行うように、プリントジョブのスケジュール管理をする制御手段とを備える。
請求項５の発明の装置は、複数のプリントジョブを受け付けるプリント装置であって、手差し給紙を指定したプリントジョブの印刷を指示するための操作入力手段と、常時は前記手差し給紙を指定したプリントジョブよりも自動給紙を指定したプリントジョブを優先させて印刷を行い、前記操作入力手段による指示操作が行われたときには、それ以前に投入されている前記手差し給紙を指定したプリントジョブのうちの１以上のプリントジョブの印刷を前記自動給紙を指定したプリントジョブに優先させて行うように、プリントジョブのスケジュール管理をする制御手段と、を備え、前記制御手段は、前記自動給紙を指定したプリントジョブの印刷中に前記指示操作が行われたときには、前記自動給紙を指定したプリントジョブの印刷を中断させて前記手差し給紙を指定したプリントジョブのうちの１以上のプリントジョブの印刷を行わせるように構成されてなる。
請求項６の発明の装置は、複数のプリントジョブを受け付けるプリント装置であって、手差し給紙を指定したプリントジョブの印刷を指示するための操作入力手段と、前記操作入力手段による指示操作に応じて、その指示操作以前に投入されており且つ前記手差し給紙を指定したプリントジョブの一覧表示をする表示手段と、前記一覧表示された前記手差し給紙を指定したプリントジョブから印刷対象のプリントジョブを選択するための選択手段と、常時は前記手差し給紙を指定したプリントジョブよりも自動給紙を指定したプリントジョブを優先させて印刷を行い、前記操作入力手段による指示操作が行われたときには、前記選択手段により選択された前記手差し給紙を指定したプリントジョブの印刷を前記自動給紙を指定したプリントジョブに優先させて行うように、プリントジョブのスケジュール管理をする制御手段とを備える。
【００１０】
通常用紙とは自動給紙が可能に収納されている用紙を意味し、特殊用紙とはサイズ、色、材質が通常用紙と異なり且つ常時は収納されない用紙を意味する。なお、特殊用紙の給紙形態としては、手差し給紙が一般的であるが、自動給紙も可能である。自動給紙の場合、特殊用紙は通常用紙と交換に収納され、又は通常用紙とは別の用紙カセットなどに収納される。本発明においては、プリプリント用紙やカラー用紙であっても、定常的に自動給紙可能に収納されているものは“通常用紙”である。特殊用紙を指定したプリントジョブとは、それを投入した後にユーザーが特殊用紙の装填作業（手指しを含む）を行わなければならないプリントジョブである。
【００１１】
【発明の実施の形態】
図１は本発明に係るネットワーク１００の要部の構成図である。
ネットワーク１００は、複数のコンピュータ４１〜４４がネットワークプリンタ１を共用するように構成されたＬＡＮである。ネットワークプリンタ１にはケーブル５０と接続するためのネットワークインタフェースカード（ＮＩＣ）１６が内蔵されている。ネットワーク１００では、１台のコンピュータ４１がプリントサーバとして機能する。なお、図示しないパラレルポートを用いてネットワークプリンタ１とコンピュータ４１とを接続し、コンピュータ４１を介してネットワークプリンタ１をケーブル５０に接続するネットワーク形式を採用することも可能である。
【００１２】
図２は本発明に係るネットワークプリンタ１の機能ブロック図である。
ネットワークプリンタ１は、自動給紙及び手指し給紙による印刷が可能に構成されたページプリンタであり、制御及びデータ処理を担うコントローラ１１、給紙機構を含むプリントエンジン１２、指示入力のための操作パネル１３、手指し給紙の有無を検出する用紙センサ１４、及び上述のネットワークインタフェースカード１６を備えている。
【００１３】
操作パネル１３には、ガイド表示のための液晶ディスプレイ（ＬＣＤ）３１、及び手指し給紙を指定したプリントジョブ（手指しジョブ）の印刷を指示するための手指しボタン３２が設けられている。コントローラ１１は、マイクロプロセッサを主体とするＣＰＵ１１０、及び各種処理段階の印字データを記憶する画像メモリ１２０を有している。ＣＰＵ１１０は、コマンド解析やビットマップ展開などのデータ処理を行い、ワークエリアに設けたスケジュール管理ファイル１３０によってプリントジョブの印刷順序を制御する。
【００１４】
図３はスケジュール管理の一例の模式図である。
ネットワークプリンタ１には、外部装置であるコンピュータ４１〜４４から２種のプリントジョブが投入される。１つは自動給紙を指定した通常ジョブであり、他の１つは手指し給紙を指定した手指しジョブである。
【００１５】
スケジュール管理ファイル１３０は、プリントキュー１３１と割込みリスト１３２とからなる。ＣＰＵ１１０は、ＮＩＣ１６を介して受信したプリントジョブの給紙指定情報を判別し、通常ジョブＪ１についてはプリントキュー１３１に投入順に登録し、手指しジョブＪ２については割込みリスト１３２に登録する。
【００１６】
印刷は、手指しボタン３２による割込み指示がない限り、原則としてプリントキュー１３１に登録された通常ジョブＪ１のみについて行われる。すなわち、プリントキュー１３１の先頭の通常ジョブＪ１が印刷対象として設定される。通常ジョブＪ１より以前に手指しジョブＪ２が投入されていても、その手指しジョブＪ２の印刷は保留されて、通常ジョブＪ１の印刷が先に行われる。なお、印刷が終了した通常ジョブＪ１はプリントキュー１３１から削除され、登録されている通常ジョブＪ１の印刷順位が繰り上がる。このように常時は通常ジョブＪ１を手指しジョブＪ２に優先させることにより、従来にみられたジョブの停滞（手指し給紙作業を待ち続ける状態）を避けることができる。
【００１７】
これに対して、手指しボタン３２が操作されたときには、常時とは逆に手指しジョブＪ２が通常ジョブＪ１よりも優先される。手指しボタン３２が操作されると、ＣＰＵ１１０は割込みリスト１３２に登録されている手指しジョブＪ２を液晶ディスプレイ１３１によって一覧表示し、ユーザーに印刷対象の指定を促す。このとき、通常ジョブＪ１の印刷中であれば、例えばページ単位の区切りで印刷を中断し、プリントエンジン１２を手指しジョブＪ２に開放する。そして、指定された手指しジョブＪ２の印刷が終了すれば、終了した手指しジョブＪ２を割込みリスト１３２から消去し、プリントキュー１３１に登録されている通常ジョブＪ１のみを印刷対象とする動作に戻る。
【００１８】
図４は手指しジョブ選択画面Ｑ１を示す図である。
手指しジョブ選択画面Ｑ１は、割込みリスト１３２に登録されている手指しジョブを登録順（投入順）に並べた一覧リストＺ１と、番号入力を促すメッセージＺ２からなる。一覧リストＺ１においては、選択肢番号とともに、ユーザー名、投入日時、ページ数といったジョブ識別情報が表示される。ユーザー名はユーザー自身の名前でも外部装置の番号でも印刷文書の題名（ファイル名）でもよい。手指し印刷を希望するユーザーは、操作パネル１３の所定のボタンによって所望の手指しジョブＪ２に対応した選択肢番号を入力する。図では選択肢番号として「３」が入力されている。手指し給紙口に用紙があれば、指定された手指しジョブＪ２の印刷が開始される。ユーザーは、ページ数分の用紙を１枚ずつ又はまとめてセットすることにより、所望の印刷物を得ることができる。
【００１９】
図５は外部装置側の印刷手順を示すフローチャートである。
アプリケーションプログラムにおいてユーザーが印刷指定を行うと、プリントドライバが起動されて印刷の条件指定が可能になる（＃１１１）。ユーザーは、ユーザー名を入力し（＃１１２）、給紙の指定を行い（＃１１３）、プリントジョブの投入を指示する（＃１１４）。給紙の指定に際して、ユーザーは、通常用紙カセットを使用するか手指しトレイを使用するかを選択する。なお、このとき、通常用紙を使用するか特殊用紙を使用するかを選択するように構成してもよい。その構成の場合、後述のステップ＃１２２において「特殊用紙か否か」の判別を行うようにする。
【００２０】
図６はプリンタ側のジョブ受付処理のフローチャートである。
受信したプリントジョブを取り込んでジョブの種別を判別する（＃１２１、＃１２２）。手指しジョブＪ２であれば手指し専用のキューである割込みファイリル１３２に登録し（＃１２３）、通常ジョブＪ１であればプリントキュー１３１に登録する（＃１２４）。
【００２１】
図７はＣＰＵ１１０が実行するスケジュール管理のフローチャートである。
手指しボタン３２がオンされると、割込みリスト１３２に手指しジョブＪ２が登録されている場合には、手指しジョブ選択画面Ｑ１を表示し、選択された手指しジョブＪ２を印刷対象とする（＃１３１〜＃１３４）。
【００２２】
手指しボタン３２がオフである常時、又は手指しボタン３２がオンされても手指しジョブＪ２が投入されていないときには、プリントキュー１３１に通常ジョブＪ１が登録されていれば、先頭（最上位）の通常ジョブＪ１を印刷対象とする（＃１３５、＃１３６）。
【００２３】
図８はスケジュール管理の他の例の模式図である。
この例において、スケジュール管理ファイル１３０ｂはプリントキュー１３１ｂのみからなる。プリントキュー１３１ｂには、通常ジョブＪ１及び手指しジョブＪ２の双方が登録される。ただし、通常ジョブＪ１のみが印刷順序設定の対象とされ、手指しジョブＪ２ついては上述の例と同様に常時において印刷が保留される。また、ユーザーは、通常ジョブＪ１について優先印刷を指定することができ、優先印刷が指定された緊急の通常ジョブＪ１は他の通常ジョブＪ１に優先して印刷される。手指しボタン３２がオンされたときには、プリントキュー１３１ｂに登録されている手指しジョブＪ２が一覧表示され、選択された手指しジョブＪ２の印刷が行われる。
【００２４】
図９は図８に対応した外部装置側の印刷手順を示すフローチャートである。
ユーザーは、アプリケーションプログラムにおいて印刷指定を行い（＃２１１）、ユーザー名及び属性を入力し（＃２１２、＃２１３）、プリントジョブの投入を指示する（＃２１４）。属性には、給紙形態（自動又は手指し）、優先印刷の要否がある。
【００２５】
図１０は図８に対応したプリンタ側のジョブ受付処理のフローチャートである。
ＣＰＵ１１０は、受信したプリントジョブを取り込み（＃２２１）、プリントキュー１３１ｂに登録する（＃２２２）。
【００２６】
図１１は図８に対応したスケジュール管理のフローチャートである。
手指しボタン３２がオンされると、プリントキュー１３１ｂに手指しジョブＪ２が登録されている場合には、手指しジョブ選択画面Ｑ１を表示し、選択された手指しジョブＪ２を印刷対象とする（＃２３１〜＃２３４）。
【００２７】
手指しボタン３２がオフである常時、又は手指しボタン３２がオンされても手指しジョブＪ２が投入されていないときには、プリントキュー１３１ｂの登録内容を調べる（＃２３５、＃２３６）。緊急の通常ジョブＪ１が登録されていれば、それらのうちの最上位の通常ジョブＪ１を印刷対象とする（＃２３７）。緊急の通常ジョブＪ１が登録されておらず、他の通常ジョブＪ１が登録されていれば、それらのうちの最上位の通常ジョブＪ１を印刷対象とする（＃２３８）。
【００２８】
以上の実施形態によれば、通常ジョブＪ１の有無に係わらず随時に手指しジョブＪ２の印刷を指示することができ、通常ジョブＪ１の終了を待つ煩わしさがない。手指しジョブＪ２の印刷が終われば、以前に中断された通常ジョブＪ１の印刷又は印刷待ちの通常ジョブＪ１の印刷が開始されるので、ジョブの停滞は最小限に抑えられる。
【００２９】
上述の実施形態では、手指しボタン３２のオンに呼応して通常ジョブＪ１の印刷を中断するものとして説明したが、手指しボタン１３２のオン以後に行われる手指しジョブの選択操作に呼応して中断するようにしてもよい。また、進行中の通常ジョブＪ１の印刷が終了した時点でプリントエンジン１２を手指しジョブＪ２に開放するようにしてもよい。手指しジョブ選択画面Ｑ１が表示されている状態において、複数の手指しジョブＪ２を一括に指定できるようにすることも可能である。
【００３０】
上述の実施形態では、手指しジョブの印刷を行う際に手指しジョブ選択画面Ｑ１を表示してジョブを選択する例を挙げたが、単に古いジョブから順番に印刷するように構成してもよい。また、上述の実施形態では、ジョブの属性として「手指し」と「緊急」とがともに指定されることはないが、両方を指定可能としてもよい。この場合、手指しジョブであっても図１１のフローチャートにおいて＃２３５→＃２３６→＃２３７と移行して印刷を実行することになるので、従来と同様に給紙待ちが起こる。しかし、緊急を要するジョブであることから、あえてこの給紙待ちを許容する。
【００３１】
上述の実施形態において、スケジュール管理を担う制御系をプリントエンジン１２と別体にしてもよい。イメージリーダ１０とプリンタ２０とが一体化されたプリンタ兼用複写機や複合機にも本発明を適用することができる。
【００３２】
【発明の効果】
請求項１乃至６の各発明によれば、手差し給紙又は用紙交換の必要な特別のプリントジョブの投入による通常のプリントジョブの停滞がなく、ユーザが特別のプリントジョブの印刷物を随時に得ることのできる印刷環境を提供することができる。
【図面の簡単な説明】
【図１】本発明に係るネットワークの要部の構成図である。
【図２】本発明に係るネットワークプリンタの機能ブロック図である。
【図３】スケジュール管理の一例の模式図である。
【図４】手指しジョブ選択画面を示す図である。
【図５】外部装置側の印刷手順を示すフローチャートである。
【図６】プリンタ側のジョブ受付処理のフローチャートである。
【図７】ＣＰＵが実行するスケジュール管理のフローチャートである。
【図８】スケジュール管理の他の例の模式図である。
【図９】図８に対応した外部装置側の印刷手順を示すフローチャートである。
【図１０】図８に対応したプリンタ側のジョブ受付処理のフローチャートである。
【図１１】図８に対応したスケジュール管理のフローチャートである。
【符号の説明】
１  ネットワークプリンタ（プリント装置）
４１〜４４  コンピュータ（外部装置）
Ｊ１  通常ジョブ（通常用紙を指定したプリントジョブ）
Ｊ２  手指しジョブ（特殊用紙を指定したプリントジョブ）
１３  操作パネル（操作入力手段、表示手段、選択手段）
１１０  ＣＰＵ（制御手段）
【図１】
0003647225.tif 000002
【図２】
0003647225.tif 000003
【図３】
0003647225.tif 000004
【図４】
0003647225.tif 000005
【図５】
0003647225.tif 000006
【図６】
0003647225.tif 000007
【図７】
0003647225.tif 000008
【図８】
0003647225.tif 000009
【図９】
0003647225.tif 000010
【図１０】
0003647225.tif 000011
【図１１】
0003647225.tif 000012